(57)【要約】      （修正有）【課題】小型で低コストおよび低ランニングコストの冷風扇を提供する。【解決手段】水の気化熱を利用する冷風扇であって、前記冷風扇は、側壁対向位置に空気の吸込用と吹出用の一対のルーバーを備えた直方体形状のケーシングと、前記ケーシング内に設置される送風ファンと、前記ケーシング内底に設置される貯水タンク８と、前記ケーシング内の天井近傍から前記貯水タンク８内に向けて等間隔でのれん状に垂れ下げられる複数の保水フィルターシート６ａ、６ｂと、前記保水フィルターシート６ａ、６ｂを垂れ下げるための保水フィルターシート掛け具７とから構成され、前記保水フィルターシート６ａ、６ｂは、前記送風ファンの送風方向に平行に配列される。【選択図】図４
0003224995.tif 000002
【実用新案登録請求の範囲】
【請求項１】
水の気化熱を利用する冷風扇であって、前記冷風扇は、側壁対向位置に空気の吸込用と吹出用の一対のルーバーを備えた直方体形状のケーシングと、前記ケーシング内に設置される送風ファンと、前記ケーシング内底に設置される貯水タンクと、前記ケーシング内の天井近傍から前記貯水タンク内に向けて等間隔でのれん状に垂れ下げられる複数の保水フィルターシートと、前記保水フィルターシートを垂れ下げるための保水フィルターシート掛け具とから構成され、前記保水フィルターシートは、前記送風ファンの送風方向に平行に配列されることを特徴とする冷風扇。
【請求項２】
前記保水フィルターシートは、高保水機能を有する織布、不織布または和紙のいずれか一つであることを特徴とする請求項１記載の冷風扇。
【請求項３】
前記保水フィルターシート掛け具は、内外形が方形のフレーム枠の一つの対辺間に等間隔で平行に横架させた複数の掛け棒を具備し、前記フレーム枠のコーナー部近傍の表面には前記ケーシング内の天井部に磁着させるための磁石を備えたことを特徴とする請求項１または２記載の冷風扇。
【請求項４】
請求項１〜３いずれか１項に記載の冷風扇において、ケーシング側壁の少なくとも１箇所に保水フィルターシートの交換あるいは貯水タンクへの給水を行うための開閉蓋を設けるとともに、前記貯水タンク内の貯水量を外部から確認するための小窓を設けたことを特徴とする冷風扇。
【考案の詳細な説明】
【技術分野】
【０００１】  本考案は、水の気化熱を利用して冷却した空気を送風ファンにより送り出す冷風扇に関する。
【背景技術】
【０００２】  水の気化熱を利用して冷風を得る冷風機や冷風扇は、主に産業用として作業現場、事務所、あるいは店舗などで業務用に用いられ、比較的大型のものが多い。（特許文献１または２参照）
【先行技術文献】
【特許文献】
【０００３】
【特許文献１】特開２０１４−９２３３８号公報
【特許文献２】特開２０１６−２３８５０号公報
【特許文献３】特開２０１３−１１３２００号公報
【考案の概要】
【考案が解決しようとする課題】
【０００４】  上述のように、従来の産業用の冷風扇や冷風機は比較的多くの送風量が必要なため必然的に大きな送風ファンや気化フィルター、さらに気化フィルターへの水の供給用ポンプが必要になるなど、価格面やメンテナンス面、さらに送風ファンの騒音や設置スペースなどに課題があった。
一方、個人向けやスポットタイプの小型の冷風扇も開発され市販されているが、未だ特許文献３に示すような既存の扇風機に気化フィルターを後付けした簡易タイプのものや、上記の産業用の冷風扇の構造をそのまま単に小型化しただけのものが多く、特に気化フィルターについてはカートリッジ式のため交換は容易であるが、反面ランニングコストが嵩張るという課題があった。【０００５】  本考案は、主に個人向けやスポットタイプの小型の冷風扇を対象とし、冷風扇において最も重要な構成要素である気化フィルターに特徴を持たせたことにより低ランニングコストの冷風扇を提供することを目的とする。
【課題を解決するための手段】
【０００７】  上記目的を達成するため、本考案の冷風扇は、水の気化熱を利用する冷風扇であって、前記冷風扇は、側壁対向位置に空気の吸込用と吹出用の一対のルーバーを備えた直方体形状のケーシングと、前記ケーシング内に設置される送風ファンと、前記ケーシング内底に設置される貯水タンクと、前記ケーシング内の天井近傍から前記貯水タンク内に向けて等間隔でのれん状に垂れ下げられる複数の保水フィルターシートと、前記保水フィルターシートを垂れ下げるための保水フィルターシート掛け具とから構成され、前記保水フィルターシートは、前記送風ファンの送風方向に平行に配列されることを特徴としている。
【考案の効果】
【０００８】  本考案の冷風扇は、気化フィルターとして市販の安価な不織布などを使用するため低ランニングコストを実現するとともに、気化フィルターを交換する際にもフィルターの掛け具とフィルターとをセットした状態で行えるのでカートリッジ式と同等以上の作業性を確保している。
また、使用するフィルターは空気のフィルター機能も備えているためきれいな冷風を常に得ることができるとともに、フィルターを送風ファンの送風方向に平行に配列しているため気化効率もよい。
さらに簡易構造によるコンパクト化のため従来より小型の送風ファンで対応できるので、送風ファンの低騒音化や軽量化も図ることができ、また空調機と併用する場合には空調機の室温設定温度を上げることができるため省電力にも貢献する。
【図面の簡単な説明】
【０００９】
【図１】  本考案に係る冷風扇の外観斜視図である。
【図２】  図１のＡ−Ａ線の位置で切断した場合の平面図である。
【図３】  図１のＢ−Ｂ線の位置で切断した場合の右側面図である。
【図４】  図１のＣ−Ｃ線の位置で切断した場合の右側面図である。
【図５】  本考案に係る保水フィルターシート掛け具の外観斜視図である。
【図６】  図５の保水フィルターシート掛け具の掛け棒に保水フィルターシートを掛けた状態を示す斜視図である。
【考案を実施するための形態】
【００１０】  以下、本考案に係る冷風扇１の実施の形態について、図１〜図６に基づいて説明する。
【００１１】  図１〜図４に示す冷風扇１において、２はケーシングで薄鋼板または樹脂などで形成されている。３は操作パネルで冷風扇１の電源入切、タイマー設定並びに室内照明の電源入切などを行うパネルである。ケーシング２の側壁には空気の吸込用ルーバー２ａを設け、対向する側壁には冷風の吹出用ルーバー２ｂを設けている。吸込用ルーバー２ａ及び吹出用ルーバー２ｂは共にビス留めなどで着脱自在としている。
また、ケーシング２の側壁には内部に設置している貯水タンク８の水量を外部から確認するための貯水量確認用小窓２ｄを設けている。さらにケーシング２の側壁には保水フィルターシート６の交換や内部メンテナンス用の開閉蓋２ｃをビス留めなどで開閉自在に設けている。本実施例では開閉蓋２ｃは吸込用ルーバー２ａと兼用にしているが、他の側壁に設けてもよい。さらにケーシング２の外部の底部には図３に示すようにケーシングアジャスタ９を設け安定設置できるようにしている。
【００１２】  図２は、図１のＡ−Ａ線の位置で切断した場合の平面図（上面から見た図）を示しており、４は送風ファンでファン４ａとモータ４ｂから構成されている。送風ファン４はケーシング２に固着された送風ファン取付フランジ５に取付固定されている。
ファン４ａが回転すると矢印の向きに送風される。
【００１３】  図３は、図１のＢ−Ｂ線の位置で切断した場合の右側面図を示している。
図４は、図１のＣ−Ｃ線の位置で切断した場合の右側面図を示しており、６は保水フィルターシート掛け具７の掛け棒７ｂに掛けて気化フィルターとして使用する保水フィルターシートで、その下端は貯水タンク８内の水に侵たされた状態で垂れ下げられている。
【００１４】  図５は、保水フィルターシート掛け具７の単体の外観斜視図で、この掛け具７は請求項３に記載のように、内外形が方形のフレーム枠７ａの一つの対辺間に等間隔で平行に横架させた複数の掛け棒７ｂを具備し、フレーム枠７ａのコーナー部近傍の表面にはケーシング２内の天井部に磁着させるための磁石７ｃを備えている。掛け棒７ｂは、冷風扇１のサイズにもよるが、概ね５〜１５本が良好である。
【００１５】  保水フィルターシート掛け具７は、フレーム枠７ａのコーナー部近傍の表面に設置された磁石７ｃとケーシング２内の天井部に設置されている磁着受２ｅとにより水平に磁着固定される。このように保水フィルターシート掛け具７は磁石により固定されるので、ケーシング２への取付け取外し即ち保水フィルターシート６の交換作業はワンタッチで簡単に行うことができる
なお、ケーシング２が薄鋼板の場合は磁着受２ｅは不要である。上記の例では、ケーシング２内の天井部に磁着受２ｅ、保水フィルターシート掛け具７に磁石７ｃを取り付けたが、この逆の取り付けを行ってもよい。
【００１６】  保水フィルターシート掛け具７は、フラット形状のため水平取り付け位置は天井近くとなるが、フレーム枠７ａの４コーナー部近傍の表面にスペーサを取り付けて天井への磁着位置の調整を行ってもよい。この場合、磁石はスペーサの先端部に設置する。
【００１７】  図６は、図５の保水フィルターシート掛け具の掛け棒に保水フィルターシート６を掛けた状態を示す斜視図であり、この状態でケーシング２への取付け取外し即ち保水フィルターシート６の交換作業を行う。
保水フィルターシート６は、請求項２に記載のように高保水機能を有する市販の不織布、織布または和紙を使用すれば安価であり、かつ汚れ具合も目で確認できるので定期的に一部または全部を交換することができる。
【００１８】  次に本考案に係る冷風扇１の使用方法を説明する。
使用者は、先ず満水にした貯水タンク８をケーシング２の開閉蓋２ｃを開けて内部の所定位置に置き、予め保水フィルターシート６ａ、６ｂ・・・を掛け棒７ｂに掛けておいた保水フィルターシート掛け具７をケーシング２内に入れて天井部に磁着固定する。その後、開閉蓋２ｃを閉めて冷風扇１の操作パネル３の電源スイッチを入れるだけでよい。
【００１９】  電源スイッチ入れ後、約１分後には、貯水タンク８の水分が保水フィルターシート６を昇って行き、この水分の蒸発による気化熱のため吹出用ルーバー２ｂから室温より概ね２℃〜５℃低い柔らかな快適な冷風が送られる。
【００２０】  最初の使用時には保水フィルターシート６の垂れ下げ長さを常に貯水タンクの水に浸透するように調整する必要があるが、次回のセット時には同じ垂れ下げ長さとすればよい。
また冷風扇１の使用中または使用後は、定期的に貯水タンク８の水量や保水フィルターシート６の汚れ具合を確認するだけで、常にクリーンな冷風を得ることができる。
【００２１】  なお、冷風扇１は必要に応じて気温・湿度表示などをオプションとして設けてもよい。
【符号の説明】
【００２２】１    冷風扇
２    ケーシング
２ａ  吸込用ルーバー
２ｂ  吹出用ルーバー
２ｃ  開閉蓋
２ｄ  貯水量確認用小窓
２ｅ  磁着受（４箇所）
３    操作パネル
４    送風ファン
４ａ  ファン
４ｂ  モータ
５    送風ファン取付フランジ
６    保水フィルターシート  （６ａ、６ｂ・・・）
７    保水フィルターシート掛け具
７ａ  フレーム枠
７ｂ  掛け棒
７ｃ  磁石（４箇所）
８    貯水タンク
９    ケーシングアジャスタ
【図１】
0003224995.tif 000003
【図２】
0003224995.tif 000004
【図３】
0003224995.tif 000005
【図４】
0003224995.tif 000006
【図５】
0003224995.tif 000007
【図６】
0003224995.tif 000008